(57)【特許請求の範囲】
【請求項１】
センタピラーに沿って上下調整自在に設けられたスライド部材に、シートベルトに取付けられたアンカー支持部材を固着したシートベルトのスライド装置であって、前記センタピラーの表面を覆うセンタピラートリムをトリム芯材と表皮より形成し、かつ前記トリム芯材の裏面に固着したガイドプレートと前記トリム芯材の間に上下動自在にスライドプレートを設けて、このスライドプレートの表面を、前記トリム芯材に開口された調整孔よりトリム芯材の裏面側に折り返された表皮の折り返し部に当接すると共に、前記ガイドプレートの表面に、前記トリム芯材との間で前記折り返し部を挟着する押えリブを突設したことを特徴とするシートベルトのスライド装置。
【請求項２】
前記押えリブを、前記スライドプレートの移動方向に沿って突設してなる請求項１記載のシートベルトのスライド装置。
【請求項３】
前記ガイドプレートの表面より突設した複数列の押えリブにより前記折り返し部を挟着してなる請求項１または２記載のシートベルトのスライド装置。
【請求項４】
前記押えリブの先端を鋸歯状に形成してなる請求項１ないし３の何れか１項記載のシートベルトのスライド装置。
【発明の詳細な説明】
【０００１】
【発明の属する技術分野】
本発明は車両のセンタピラーに装着されたシートベルトのスライド装置に関する。
【０００２】
【従来の技術】
車両の衝突などから乗員を保護するシートベルト装置には、乗員を３点で支持する３点式シートベルト装置がある。
【０００３】
前記３点式シートベルト装置は、シートベルトをセンタピラーと座席両側の３点で支持するようにしたもので、センタピラーの支持部には、乗員の座高に合せて支持部の高さが調整できるようシートベルトのスライド装置が装着されている。
【０００４】
またシートベルトのスライド装置としては、たとえば実開平４−７１３５０号公報に記載されたものや、図８及び図９に示すものが公知である。
【０００５】
実開平４−７１３５０号公報に記載されたシートベルトのスライド装置は、センタピラーの内面を覆うセンタピラートリムをトリム芯材と、このトリム芯材の表面に貼着されたパッド付き表皮より形成し、かつセンタピラートリムに開口された調整長孔より前記パッド付き表皮をトリム芯材の裏面側に折り返してトリム芯材の裏面に接着すると共に、トリム芯材の裏面に突設したガイドリブと前記パッド付き表皮の折り返し部の間でスライドプレートをスライド動自在に挟着した構造となっている。
【０００６】
一方図８及び図９に示すシートベルトのスライド装置は、センタピラーａの内面を覆うセンタピラートリムｂを、トリム芯材ｃと、このトリム芯材ｃの表面に貼着された表皮ｄより形成し、かつトリム芯材ｃに開口された調整孔ｅを覆う表皮ｄに切り込みｆを入れて、この切り込みｆより表皮ｄをトリム芯材ｃの裏面側へ折り返して、トリム芯材ｃに表皮ｄの折り返し部ｇを接着すると共に、トリム芯材ｃの裏面側より調整孔ｅの長手方向に沿って突設した複数の突起ｈにガイドプレートｉを固着して、このガイドプレートｉと表皮ｄの折り返し部ｇの間でスライドプレートｊをスライド自在に挟着した構造となっている。
【０００７】
【発明が解決しようとする課題】
しかし実開平４−７１３５０号公報や、図８及び図９に記載のシートベルトのスライド装置のように、ガイドプレートと表皮の折り返し部との間でスライドプレートをスライド自在に挟着したものでは、スライドプレートを繰返しスライドさせていると表皮間の摩擦抵抗により表皮がトリム芯材の裏面より剥離して、折り返し部が調整孔よりセンタトリムの表面側へはみ出すため、外観が著しく損なわれるなどの欠点があった。
【０００８】
本発明はかかる従来の欠点を改善するためになされたもので、トリム芯材の表面を覆う表皮の折り返し部がセンタトリム側の表面側にはみ出すのを防止したシートベルトのスライド装置を提供することを目的とするものである。
【０００９】
【課題を解決するための手段】
前記目的を達成するため本発明のシートベルトのスライド装置は、センタピラーに沿って上下調整自在に設けられたスライド部材に、シートベルトに取付けられたアンカー支持部材を固着したシートベルトのスライド装置であって、センタピラーの表面を覆うセンタピラートリムをトリム芯材と表皮より形成し、かつトリム芯材の裏面に固着したガイドプレートとトリム芯材の間に上下動自在にスライドプレートを設けて、このスライドプレートの表面を、トリム芯材に開口された調整孔よりトリム芯材の裏面側に折り返された表皮の折り返し部に当接すると共に、ガイドプレートの表面に、トリム芯材との間で折り返し部を挟着する押えリブを突設したものである。
【００１０】
前記構成により、スライドプレートを上下動した際、スライドプレートと折り返し部の間に摩擦抵抗が発生しても、トリム芯材より折り返し部が剥離するのを押えリブが抑制するため、剥離した折り返し部が調整孔よりセンタピラートリムの表面側へはみ出すのを確実に防止することができる。
【００１１】
前記目的を達成するため本発明のシートベルトのスライド装置は、押えリブを、スライドプレートの移動方向に沿って突設したものである。
【００１２】
前記構成により、スライドプレートを繰り返し上下動しても、スライドプレートと折り返し部間の摩擦抵抗により折り返し部が剥離することがないので、耐久性が向上する。
【００１３】
前記目的を達成するため本発明のシートベルトのスライド装置は、ガイドプレートの表面より突設した複数列の押えリブにより折り返し部を挟着したものである。
【００１４】
前記構成により、折り返し部の剥離抑制力がさらに増すため、折り返し部が剥離して調整孔よりセンタピラートリムの表面側へはみ出すのをより確実に防止することができる。
【００１５】
前記目的を達成するため本発明のシートベルトのスライド装置は、押えリブの先端を鋸歯状に形成したものである。
【００１６】
前記構成により、押えリブの先端が折り返し部に食い込んで、折り返し部が剥離するのを抑制するため、折り返し部が剥離して調整孔よりセンタピラートリムの表面側へはみ出すのをより確実に防止することができる。
【００１７】
【発明の実施の形態】
本発明の実施の形態を図面を参照して詳述する。
【００１８】
図１は車両のセンタピラーに装着されたシートベルトのスライド装置の斜視図を示すもので、センタピラー１には上下方向に設けられたガイドレール２の両端が固着具３により固着されており、ガイドレール２にはシートベルト４のアンカー支持部材５を固定するスライド部材６が上下摺動自在に支承されている。
【００１９】
センタピラー１の表面を覆うセンタピラートリム７は、樹脂などにより成形された板状のトリム芯材８と、トリム芯材８の表面に接着された表皮９よりなり、表皮９の周縁部９ａはトリム芯材８の周辺部より裏面側に折り返されて、トリム芯材８の裏面に接着されている。
【００２０】
前記トリム芯材８には、スライド部材６の移動範囲に亘って上下方向に細長い長方形状の調整孔８ａが開口されており、調整孔８ａを覆う表皮９には切り込み９ｂが入れられて、この切り込み９ｂより表皮９が図２に示すようにトリム芯材８の裏面側へ折り返されていると共に、表皮９の折り返し部９ｃはトリム芯材８の裏面に接着されている。
【００２１】
またトリム芯材８の裏面には、調整孔８ａの両側に位置し、かつ上下方向に間隔を存して複数の突起８ｂが突設されていて、これら突起８ｂの先端にガイドプレート１０が固着されている。
【００２２】
ガイドプレート１０はセンタピラートリム７よりやや小さい長方形状となっていて、両側縁に沿って穿設された取付け孔１０ａを前記突起８ｂに嵌合して、突起８ｂの先端を熱でカシメることにより、トリム芯材８に固着されており、トリム芯材８に開口された調整孔８ａと合致する位置には、調整孔８とほぼ同じ幅で、かつ調整孔８ａより長さの長い長方形状の開口部１０ｂが開口されている。
【００２３】
そしてガイドプレート１０の表面側には、開口部１０ｂの両側に位置し、かつ開口部１０ｂの長辺側と平行するよう一対の押えリブ１０ｃが突設されている。
【００２４】
これら押えリブ１０ｃは、ガイドプレート１０をトリム芯材８の裏面に固着した際、先端部が図４及び図５に示すように表皮９の折り返し部９ｃに圧着されて、トリム芯材８との間で折り返し部９ｃを挟着することにより、折り返し部９ｃがトリム芯材８の裏面より剥離するのを抑制して、調整孔８ａよりセンタピラートリム７の表面側へ折り返し部９ｃがはみ出すのを防止するためのもので、トリム芯材８にガイドプレート１０を固着した際先端部が図５に示すように、表皮９に食い込むように高さが設定されている。
【００２５】
一方センタピラートリム７のトリム芯材８裏面とガイドプレート１０の間には、スライドプレート１２が上下摺動自在に介在されている。
【００２６】
スライドプレート１２はガイドプレート１０に突設された押えリブ１０ｃの間隔よりやや幅が狭く、かつトリム芯材８に開口された調整孔８ａの幅より幅の大きい長方形状の板体より形成されていて、ほぼ中央部に、スライド部材６より突設された取付けボス６ａが突出する半円状の取付け孔１２ａが開口されていると共に、表面及び裏面には、半円筒状のガイドリブ１２ｂが両側縁に沿って突設されている。
【００２７】
これらガイドリブ１２ｂは図４及び図５に示すように、表皮９の折り返し部９ｃおよびガイドプレート１０の表面に線接触するように当接されていて、スライドプレート１２が上下方向へ移動する際の摩擦抵抗を低減することにより、スライドプレート１２が円滑に上下動できるようになっている。
【００２８】
またスライドプレート１２の取付け孔１２ａより突設されたスライド部材６の取付けボス６ａには、シートベルト４に移動自在に取付けられたアンカー支持部材５がビスなどの固着具１３により固着されている。
【００２９】
次に前記構成されたシートベルトのスライド装置の作用を説明すると、スライド装置の組立てに当っては、まずセンタピラー１の表面に固着具３によりガイドレール２を取付ける。
【００３０】
またセンタピラートリム７の裏面には、トリム芯材８の裏面とガイドプレート１０の間にスライドプレート１２を介在させた状態で、トリム芯材８の裏面にガイドプレート１０を固着する。
【００３１】
これによってガイドプレート１０の表面に突設された押えリブ１０ｃの先端が、トリム芯材８の調整孔８ａよりトリム芯材８の裏面に折り返されて、トリム芯材８の裏面に接着された表皮９の折り返し部９ｃに圧着されると同時に、スライドプレート１２の表裏面に突設されたガイドリブ１２ｂは、表皮９の折り返し部９ｃとガイドプレート１０の表面に当接される。
【００３２】
次にガイドプレート１０及びスライドプレート１２を組み込んだセンタピラートリム７をクリップなどの止着手段（図示せず）によりセンタピラー１の表面に取付けることにより、センタピラートリム７によりセンタピラー１の表面を覆った後、スライドプレート１２の取付け孔１２ａより突出したスライド部材６の取付けボス６ａに、シートベルト４に取付けられたアンカー支持部材５を、センタピラートリム７の調整孔８ａ側より固着具１３により固着するもので、以上のようにして組立てられたシートベルトのスライド装置は、ガイドレール２に沿って上下摺動自在なスライド部材６によってシートベルト４に取付けられたアンカー支持部材５が上下調整自在となるため、シートベルト４を使用する乗員の座高に合せて、アンカー支持部材５の高さが容易に調整できるようになる。
【００３３】
またスライド部材６の上下調整とともにスライドプレート１２も上下動して、表皮９の折り返し部９ｃとの間で摩擦を生じるが、折り返し部９ｃはガイドプレート１０より突設された押えリブ１０ｃの先端とトリム芯材８の間で挟着されているので、折り返し部９ｃとスライドプレート１２の間で摩擦抵抗が発生しても、折り返し部９ｃがトリム芯材８より剥離するのを抑制されるため、剥離した折り返し部９ｃが調整孔８ａよりセンタピラートリム７の表面側へはみ出すのを確実に防止することができる。
【００３４】
なお前記実施の形態では、押えリブ１０ｃを開口部１０ｂの両側にそれぞれ１本ずつ突設したが、図６に示す変形例のように複数列突設してもよく、また図７に示す変形例のように押えリブ１０ｃの先端を鋸歯状に形成して、表皮９の折り返し部９ｃに食い込ませるようにしてもよい。
【００３５】
【発明の効果】
本発明は以上詳述したように、センタピラーの表面を覆うセンタピラートリムをトリム芯材と表皮より形成し、かつトリム芯材の裏面に固着したガイドプレートとトリム芯材の間に上下動自在にスライドプレートを設けて、このスライドプレートの表面を、トリム芯材に開口された調整孔よりトリム芯材の裏面側に折り返された表皮の折り返し部に当接すると共に、ガイドプレートの表面に、トリム芯材との間で折り返し部を挟着する押えリブを突設したことから、スライドプレートを上下動した際、スライドプレートと折り返し部の間に摩擦抵抗が発生しても、トリム芯材より折り返し部が剥離するのを押えリブが抑制するため、剥離した折り返し部が調整孔よりセンタピラートリムの表面側へはみ出すのを確実に防止することができ、これによってはみ出した折り返し部により外観が損なわれるなどの欠点を解消することができる。
【００３６】
また押えリブを、スライドプレートの移動方向に沿って突設したことから、スライドプレートを繰り返し上下動しても、スライドプレートと折り返し部間の摩擦抵抗により折り返し部が剥離することがないので、耐久性が向上すると共に、押えリブを複数列突設したり、押えリブの先端を鋸歯状に形成すれば、折り返し部の剥離抑制力がさらに増すため、折り返し部が剥離して調整孔よりセンタピラートリムの表面側へはみ出すのをより確実に防止することができる。
【図面の簡単な説明】
【図１】本発明の実施の形態になるシートベルトのスライド装置を示す正面図である。
【図２】本発明の実施の形態になるシートベルトのスライド装置を示す分解斜視図である。
【図３】本発明の実施の形態になるシートベルトのスライド装置を示す裏面図である。
【図４】図３のＡ−Ａ線に沿う断面図である。
【図５】図４のＢ円内の拡大図である。
【図６】本発明の実施の形態になるシートベルトのスライド装置に設けられた押えリブの変形例を示す説明図である。
【図７】本発明の実施の形態になるシートベルトのスライド装置に設けられた押えリブの変形例を示す説明図である。
【図８】従来のシートベルトのスライド装置を示す正面図である。
【図９】図８のＣ−Ｃ線に沿う断面図である。
【符号の説明】
１      センタピラー
２      ガイドレール
３      固着具
４      シートベルト
５      アンカー支持部材
６      スライド部材
６ａ    取付けボス
７      センタピラートリム
８      トリム芯材
８ａ    調整孔
８ｂ    突起
９      表皮
９ａ    周縁部
９ｂ    切り込み
９ｃ    折り返し部
１０    ガイドプレート
１０ａ  取付け孔
１０ｂ  開口部
１０ｃ  押えリブ
１２    スライドプレート
１２ａ  取付け孔
１２ｂ  ガイドリブ
１３    固着具
【図１】
0003760401.tif 000002
【図２】
0003760401.tif 000003
【図３】
0003760401.tif 000004
【図４】
0003760401.tif 000005
【図５】
0003760401.tif 000006
【図６】
0003760401.tif 000007
【図７】
0003760401.tif 000008
【図８】
0003760401.tif 000009
【図９】
0003760401.tif 000010